(57)【特許請求の範囲】
【請求項１】
読取部に第１の乗務員カードが装着されたとき、運転手を識別するための第１の識別情報を前記第１の乗務員カードから読み取る第１読取ステップと、
前記第１読取ステップ以降において前記第１の乗務員カードが前記読取部から取り外されるまでの間に亘って検出した第１の運行記録データを、前記第１の識別情報に対応させて、前記第１の運行記録データと前記第１の識別情報とから構成される第１のフレームとして記録する第１記録ステップと、
前記第１記録ステップ以降において前記読取部に第２の乗務員カードが装着されたとき、運転手を識別するための第２の識別情報を前記第２の乗務員カードから読み取る第２読取ステップと、
前記第２読取ステップ以降において前記第２の乗務員カードが前記読取部から取り外されるまでの間に亘って検出した第２の運行記録データを、前記第２の識別情報に対応させて、前記第１のフレームにおけるデータの終端から、前記第２の運行記録データと前記第２の識別情報とから構成される第２のフレームとして記録する第２記録ステップと、
前記第１記録ステップ及び前記第２記録ステップにて記録したデータを記録媒体に書き込む書込ステップと、
を有することを特徴とする運行記録制御方法。
【請求項２】
運行記録データを記録する記録部と、
運転手を識別するための識別情報を読み取る読取部と、
記録媒体を挿抜可能であって、挿し込まれた該記録媒体に前記記録部に記録されたデータを書き込む書込部と、
を備え、
前記記録部は、前記読取部に第１の乗務員カードが装着されたときに前記読取部が前記第１の乗務員カードから第１の識別情報を読み取った第１の時点以降において前記第１の乗務員カードが前記読取部から取り外されるまでの間に亘って検出された第１の運行記録データを、該第１の識別情報に対応させて、前記第１の運行記録データと前記第１の識別情報とから構成される第１のフレームとして記録するとともに、前記第１のフレームが記録された後において前記読取部に第２の乗務員カードが装着されたときに前記読取部が前記第２の乗務員カードから第２の識別情報を読み取った、前記第１の時点より後の、第２の時点以降において前記第２の乗務員カードが前記読取部から取り外されるまでの間に亘って検出された第２の運行記録データを、該第２の識別情報に対応させて、前記第１のフレームにおけるデータの終端から、前記第２の運行記録データと前記第２の識別情報とから構成される第２のフレームとして記録する、
ことを特徴とする車両運行記録装置。
【請求項３】
前記読取部は、非接触ＩＣカードに記録された前記識別情報を読み取り可能な非接触リーダーである、
ことを特徴とする請求項２に記載の車両運行記録装置。
【請求項４】
コンピュータに、請求項１に記載の運行記録制御方法の各ステップを実行させるための運行記録プログラム。
【発明の詳細な説明】
【技術分野】
【０００１】
本発明は、車両上に搭載され、前記車両の運行状況を表す情報を逐次収集し、所定の記録媒体上にデジタルデータとして前記情報を記録する運行記録制御方法、車両運行記録装置および運行記録プログラムに関する。
【背景技術】
【０００２】
例えば、トラックやタクシー、配送用車両等の業務用車両については、乗務員の労務管理や安全管理のために、車両の運行状況を自動的に記録する車両運行記録計、すなわちタコグラフが車載器として各々の車両に搭載されている。このようなタコグラフは、その車両の走行速度やエンジン回転数といった走行状態を検出して自動的に記録する。各車両のタコグラフによってチャート紙等に記録された情報は、車両の運行を管理している会社の営業所等において読み取られ、乗務員の労務管理や安全管理に利用される。
【０００３】
近年では、上述のような車両運行記録計は一般的にデジタルタコグラフと呼ばれ、様々な機能が追加されている。デジタルタコグラフは、車両の走行センサやエンジン回転数センサからの出力を基に割り出される走行速度やエンジン回転数といった、時々刻々変化する車両の走行状態に関する時系列情報を、デジタルデータの形で収集し不揮発性メモリを内蔵したメモリカードのような記憶媒体に自動的に記録する。更に、例えば乗務員が車両を運転した時間の情報や、車両の急発進、急停止の回数といった、乗務員の運行業務の状態に関する情報も収集されデジタルデータの形で記憶媒体に記録される。
【０００４】
ところで、例えば個人タクシーのように個人で営業を行っている場合でない限り、一人の乗務員が常に同じ車両を使用して運行業務を行うわけではない。従って、車両運行記録計を使用する場合には、乗務員毎に個別に情報を収集して管理する必要がある。そこで、現状では以下に説明するような状態で管理を行っている。
【０００５】
１．乗務員を管理している会社の事務所では、各々の乗務員を特定可能な乗務員コードが書き込まれた乗務員カード（メモリカード）を作成し、各々の乗務員に１枚ずつ乗務員カードを配布する。
２．各乗務員は、運行業務を開始する前に、自分の乗務員カードを使用する車両に搭載された車両運行記録計（車載装置）に装填し、車両の運行業務を開始する。
３．車両の運行業務を行っている間は、車両運行記録計が情報を収集する。
４．車両の運行業務が終了した時に、収集した情報をデジタルデータとして装填された乗務員カードに記録し、乗務員は自分の乗務員カードを車両上の車両運行記録計から抜き取って持ち帰る。
５．乗務員を管理している会社の事務所で、乗務員が自分の乗務員カードを管理用コンピュータのカードリーダに装填し、この乗務員カードに記録されているデータを読み取り、例えば紙にデータの内容を印刷して出力する。
【０００６】
従って、各乗務員カードに記録されている乗務員コードにより各乗務員を特定できるので、車両運行記録計により収集され、前記管理用コンピュータにより出力されるデータと特定の乗務員とを対応付けることができる。これにより、乗務員毎に労務管理や安全管理を行うことができる。
【０００７】
一方、過去に大容量のメモリカードが高価であった時には、車両毎に１枚のメモリカードを割り当てて車両運行記録計が収集したデータを車両のメモリカードに記録していた。しかし、この場合には車両のメモリカードに記録される運行記録情報の中に複数の乗務員のデータが混在する可能性があるので、乗務員毎の労務管理や安全管理が困難であった。
【０００８】
そこで、例えば特許文献１では、車両運行記録計において複数の乗務員を区別するための技術を開示している。具体的には、各乗務員が所有しているカードから乗務員識別コードを読み取って、あるいはテンキーから入力された乗務員識別コードを読み取って、この乗務員識別コードと事前に車両運行記録計に登録された登録情報とを照合し、そのカードの保有者を識別することを提案している。
【０００９】
また、特許文献２には、カードの情報を読み取ってその情報に含まれる識別情報と事前に登録された登録情報とを照合し、そのカードの保有者を識別する機器操作権管理端末が開示されている。また、照合に失敗した場合に、運転不可の情報を表示出力することも開示している。
【先行技術文献】
【特許文献】
【００１０】
【特許文献１】特開平１１−３０６４０７号公報
【特許文献２】特開２０００−３１１２２０号公報
【発明の概要】
【発明が解決しようとする課題】
【００１１】
ところで、乗務員は、上述した１から５の手順のうち、２、４及び５の手順を車両に乗り込む度に行っている。特に、４及び５の手順については、運行業務終了後の乗務員に作業を強いるため乗務員に負担をかける手順であるとともに、乗務員がその作業をし忘れることもある。このため、乗務員カードを車両運行記録計から取り出すためのイジェクトボタンが乗務員カードへのデータの書き込みを開始させるための操作ボタンを兼ねるようにした車両運行記録計もある。しかしながら、このような車両運行記録計は、乗務員にかける負担の軽減及び乗務員カードへの書き込み忘れの防止には寄与するものの、乗務員が４及び５の手順のための作業をしなければならないことに変わりはない。
【００１２】
本発明は、上述した事情に鑑みてなされたものであり、その目的は、車両の運行業務が終了した時に、収集した情報を乗務員カードに記録するための作業を行う機会、及び事務所で乗務員カードに記録されているデータを読み取り、出力する機会を減らすことができる運行記録制御方法、車両運行記録装置及び運行記録プログラムを提供することにある。
【課題を解決するための手段】
【００１３】
前述した目的を達成するために、本発明に係る運行記録制御方法は、下記（１）を特徴としている。
（１）  読取部に第１の乗務員カードが装着されたとき、運転手を識別するための第１の識別情報を前記第１の乗務員カードから読み取る第１読取ステップと、
前記第１読取ステップ以降において前記第１の乗務員カードが前記読取部から取り外されるまでの間に亘って検出した第１の運行記録データを、前記第１の識別情報に対応させて、前記第１の運行記録データと前記第１の識別情報とから構成される第１のフレームとして記録する第１記録ステップと、
前記第１記録ステップ以降において前記読取部に第２の乗務員カードが装着されたとき、運転手を識別するための第２の識別情報を前記第２の乗務員カードから読み取る第２読取ステップと、
前記第２読取ステップ以降において前記第２の乗務員カードが前記読取部から取り外されるまでの間に亘って検出した第２の運行記録データを、前記第２の識別情報に対応させて、前記第１のフレームにおけるデータの終端から、前記第２の運行記録データと前記第２の識別情報とから構成される第２のフレームとして記録する第２記録ステップと、
前記第１記録ステップ及び前記第２記録ステップにて記録したデータを記録媒体に書き込む書込ステップと、
を有すること。
【００１４】
上記（１）の構成の運行記録制御方法によれば、車両の運行業務が終了した時に、収集した情報を乗務員カードに記録するための作業を行う機会、及び事務所で乗務員カードに記録されているデータを読み取り、出力する機会を減らすことができる。
【００１５】
前述した目的を達成するために、本発明に係る車両運行記録装置は、下記（２）、（３）を特徴としている。
（２）  運行記録データを記録する記録部と、
運転手を識別するための識別情報を読み取る読取部と、
記録媒体を挿抜可能であって、挿し込まれた該記録媒体に前記記録部に記録されたデータを書き込む書込部と、
を備え、
前記記録部は、前記読取部に第１の乗務員カードが装着されたときに前記読取部が前記第１の乗務員カードから第１の識別情報を読み取った第１の時点以降において前記第１の乗務員カードが前記読取部から取り外されるまでの間に亘って検出された第１の運行記録データを、該第１の識別情報に対応させて、前記第１の運行記録データと前記第１の識別情報とから構成される第１のフレームとして記録するとともに、前記第１のフレームが記録された後において前記読取部に第２の乗務員カードが装着されたときに前記読取部が前記第２の乗務員カードから第２の識別情報を読み取った、前記第１の時点より後の、第２の時点以降において前記第２の乗務員カードが前記読取部から取り外されるまでの間に亘って検出された第２の運行記録データを、該第２の識別情報に対応させて、前記第１のフレームにおけるデータの終端から、前記第２の運行記録データと前記第２の識別情報とから構成される第２のフレームとして記録する、
こと。
（３）  上記（２）の構成の車両運行記録装置であって、
前記読取部は、非接触ＩＣカードに記録された前記識別情報を読み取り可能な非接触リーダーである、
こと。
【００１６】
上記（２）、（３）の構成の車両運行記録装置によれば、車両の運行業務が終了した時に、収集した情報を乗務員カードに記録するための作業を行う機会、及び事務所で乗務員カードに記録されているデータを読み取り、出力する機会を減らすことができる。
【００１７】
前述した目的を達成するために、本発明に係る運行記録プログラムは、下記（４）を特徴としている。
（４）  コンピュータに、上記（１）に記載の運行記録制御方法の各ステップを実行させるための運行記録プログラム。
【００１８】
上記（４）の構成の運行記録プログラムによれば、車両の運行業務が終了した時に、収集した情報を乗務員カードに記録するための作業を行う機会、及び事務所で乗務員カードに記録されているデータを読み取り、出力する機会を減らすことができる。
【発明の効果】
【００１９】
本発明の運行記録制御方法、車両運行記録装置及び運行記録プログラムによれば、車両の運行業務が終了した時に、収集した情報を乗務員カードに記録するための作業を行う機会、及び事務所で乗務員カードに記録されているデータを読み取り、出力する機会を減らすことができる。
【００２０】
以上、本発明について簡潔に説明した。更に、以下に説明される発明を実施するための形態を添付の図面を参照して通読することにより、本発明の詳細は更に明確化されるであろう。
【図面の簡単な説明】
【００２１】
【図１】実施形態の車両運行記録装置の構成例を示すブロック図である。
【図２】図１に示す車両運行記録装置を使用する前の準備に関するシステムの構成を示すブロック図である。
【図３】図１に示す車両運行記録装置を使用する前の準備に関するシステムの構成を示すブロック図である。
【図４】図１に示す車両運行記録装置上に登録情報を書き込む際の車両運行記録装置の動作を示すフローチャートである。
【図５】図１に示す車両運行記録装置を用いて車両の運行業務を開始する際の車両運行記録装置の動作を示すフローチャートである。
【図６】図１に示す車両運行記録装置を用いて車両の運行業務を記録する際の車両運行記録装置のデータ記録動作を説明する模式図である。
【発明を実施するための形態】
【００２２】
本発明の運行記録制御方法、車両運行記録装置及び運行記録プログラムに関する具体的な実施の形態について、各図を参照しながら以下に説明する。
【００２３】
本実施形態の車両運行記録装置１００の構成例が図１に示されている。図１に示す車両運行記録装置１００は、車載器であり、管理対象の車両上に搭載して使用される。この車両運行記録装置１００は車両の運行状況に関する様々な情報を自動的に収集しデジタルデータとして記録し保存する。
【００２４】
図１に示すように、この車両運行記録装置１００には、マイクロコンピュータ（ＣＰＵ）１０、不揮発性メモリ２１、揮発性メモリ２２、記録媒体インタフェース２３、音声インタフェース２４、時計回路（ＲＴＣ：リアルタイムクロック）２５、メモリ（ＥＥＰＲＯＭ）２６、スイッチ入力部２７、ＬＣＤコントローラ２８、液晶表示器（ＬＣＤ）２９、速度／エンジン回転インタフェース（ＩＦ）３１、速度／エンジン回転警報部３２、外部入力インタフェース３３、アナログ入力インタフェース３４、外部出力インタフェース３５、プリンタインタフェース３６、ＧＰＳインタフェース３７、ＣＡＮ通信インタフェース３８、通信端末インタフェース３９、電源部４０が備わっている。
【００２５】
マイクロコンピュータ（ＣＰＵ）１０は、メモリ２６上に保持されているプログラムを実行することにより、車両運行記録装置１００を制御するために必要な処理を行う。主要な制御の内容として、マイクロコンピュータ１０は車両の営業運行中に、運行状態を表す様々な情報を収集し、得られたデジタルデータを記録し保存する。それ以外の特徴的な制御については、後で詳細に説明する。
【００２６】
不揮発性メモリ２１は、電源部４０から供給される電源電力が遮断された時でも記憶された情報を保持することのできる記憶装置であり、情報の書き込み及び読み出しが可能である。不揮発性メモリ２１は、車両運行記録装置１００の動作に必要な情報、例えば後述するような乗務員に関する登録情報や、車両の運行業務の間に車両運行記録装置１００によって自動的に収集される様々な運行状況の情報を保持するために利用される。
【００２７】
揮発性メモリ２２は、情報の書き込み及び読み出しが可能な半導体メモリであり、電源部４０から電源電力が供給されている時に、一時的に使用するデータの書き込み及び読み出しのためにマイクロコンピュータ１０によってアクセスされる。
【００２８】
記録媒体インタフェース２３は、記録媒体である所定のメモリカードを装着可能なカードスロットを備えており、装着されたメモリカードに対してマイクロコンピュータ１０がアクセスするためのインタフェースとして機能する。メモリカードはカードスロットに着脱自在である。
【００２９】
音声インタフェース２４は、音声の入出力を行うためのインタフェースである。すなわち、乗務員等が発声する音声等の音響を電気信号として入力し、デジタルデータに変換して音声情報として収集したり、アナウンスなどの音声信号を合成して音響として出力することができる。
【００３０】
時計回路２５は、所定のクロックパルスを常時計数しており、現在の日付および時刻を把握してその情報を出力することができる。
【００３１】
スイッチ入力部２７は、乗務員が操作可能な複数のスイッチを有している。乗務員が各スイッチのボタンを操作した場合には、該当するスイッチの状態を表す信号がスイッチ入力部２７からマイクロコンピュータ１０に入力される。
【００３２】
液晶表示器２９は、車両運行記録装置１００の筐体の前面パネルに配置された表示画面を有し、この表示画面上に数値や文字列を表示することができる。マイクロコンピュータ１０は、ＬＣＤコントローラ２８を介して液晶表示器２９の表示内容を制御することができる。
【００３３】
速度／エンジン回転インタフェース３１は、車速やエンジンの回転数を把握するための各種電気信号をマイクロコンピュータ１０に入力するためのインタフェースである。例えば、車両の車輪の回転量（回転速度）に応じてパルス信号を発生する車速センサの出力や、エンジン駆動部の回転量に応じた信号を出力するエンジン回転センサの出力が速度／エンジン回転インタフェース３１の入力に接続される。
【００３４】
速度／エンジン回転警報部３２は、検出した車速やエンジン回転数（ｒｐｍ）が異常な状態になった場合に、警報音を出力するために用いられる。
【００３５】
外部入力インタフェース３３は、オプションとして用意された外部機器、例えばスイッチユニットのような入力機器を接続するために利用される。アナログ入力インタフェース３４は、アナログ電気信号を入力するために利用される。アナログ入力インタフェース３４はアナログ／デジタル変換器を内蔵している。外部出力インタフェース３５は、オプションとして用意された外部機器、例えばドライブレコーダのような出力機器を接続するために利用される。
【００３６】
プリンタインタフェース３６は、オプションとして用意されたプリンタを接続するために利用される。ＧＰＳインタフェース３７は、ＧＰＳ受信機を接続するために利用される。ＧＰＳ受信機はＧＰＳ（Global Positioning System）衛星からの電波を受信して車両の現在位置を表す位置情報を出力することができる。
【００３７】
ＣＡＮ通信インタフェース３８は、車両上に搭載されている他の装置との間で、ＣＡＮの通信規格に従ったデータ通信を行うためのインタフェースである。通信端末インタフェース３９は、所定の通信端末と車両運行記録装置１００とを接続するためのインタフェースである。
【００３８】
電源部４０は、車両の電源回路（バッテリーの出力）の電圧をマイクロコンピュータ１０が電源として利用可能な所定の電圧に変換するための電源回路である。
【００３９】
図１に示した車両運行記録装置１００を正しく使用するためには事前に次に説明するような準備を行う必要がある。
まず最初の準備として、車両運行記録装置１００を搭載する特定の車両を運転する可能性のある複数の乗務員（例えば１０人分）の情報を登録情報として車両運行記録装置１００上に書き込む必要がある。
【００４０】
この準備作業を行う場合には、図２に示すようなシステムを用いる。図２に示すシステムに含まれる事務所内端末２００は、複数の乗務員を管理している会社の事務所内に設置され、所定の管理者により操作される。この事務所内端末２００は、一般的なパーソナルコンピュータと同様に、コンピュータ本体２０１、キーボード２０２、ディスプレイ２０３、カードリーダ／ライタ２０４を備えている。
【００４１】
また、コンピュータ本体２０１は乗務員の情報を管理するためのアプリケーションプログラムを有し、カードリーダ／ライタ２０４に装着される各メモリカードに対して乗務員の情報を書き込むことができる。
【００４２】
車両運行記録装置１００に前述の登録情報を書き込む際には、図２に示す設定カード３０１を用いる。この設定カード３０１は、カードリーダ／ライタ２０４に装着可能なメモリカードである。すなわち、メモリカードをカードリーダ／ライタ２０４に装着して事務所内端末２００を操作することにより必要な情報をメモリカードに書き込み、これを設定カード３０１として利用できる。
【００４３】
設定カード３０１上には、これが設定カードであることを表す設定カード識別コードと、登録情報とが書き込まれる。
【００４４】
図２に示すように、事務所内端末２００を用いて作成した設定カード３０１を車両運行記録装置１００の記録媒体インタフェース２３に装着し所定の操作を行うことにより、設定カード３０１が保持している登録情報を車両運行記録装置１００上に書き込むことができる。
【００４５】
また、車両運行記録装置１００を搭載した車両を各乗務員が運転し運行業務（営業）を開始する時には、図３に示す乗務員カード３０２が必要になる。この乗務員カード３０２はカードリーダ／ライタ２０４に装着可能なメモリカードであり、図３に示すシステムのように前述の事務所内端末２００を用いて作成することができる。
【００４６】
すなわち、メモリカードをカードリーダ／ライタ２０４に装着して事務所内端末２００を操作することにより必要な情報をメモリカードに書き込み、これを乗務員カード３０２として利用できる。乗務員カード３０２上には、これが乗務員カードであることを表す乗務員カード識別コードと、特定の乗務員に割り当てられた乗務員コードとが書き込まれる。
【００４７】
図３に示すように、事務所内端末２００を用いて作成した乗務員カード３０２を車両運行記録装置１００の記録媒体インタフェース２３に装着し所定の操作を行うことにより、車両運行記録装置１００は乗務員カード３０２が保持している乗務員コードを読み取り乗務員を認識できる。
【００４８】
図１に示した車両運行記録装置１００上に登録情報を書き込む際のマイクロコンピュータ１０の処理の内容が図５に示されている。すなわち、図２に示したように作成した設定カード３０１を車両運行記録装置１００の記録媒体インタフェース２３に装着して所定の操作を行うことにより、図４に示す処理が開始される。
【００４９】
ステップＳ１１では、マイクロコンピュータ１０は記録媒体インタフェース２３のカードスロットに装着されているメモリカードが設定カード３０１であるか否かを識別する。設定カード３０１上には、予め定めた設定カード識別コードが書き込まれているので、このコードの存在の有無によりメモリカードが設定カード３０１か否かを識別できる。装着されたメモリカードが設定カード３０１であればステップＳ１３に進み、そうでなければステップＳ１２に進む。
【００５０】
ステップＳ１２では、マイクロコンピュータ１０は液晶表示器２９の表示画面に所定のメッセージを表示する。具体的には、図４に示す表示画面Ｍ００のように、「設定カードではありません。設定カードを挿入して下さい。」のような内容が表示される。
【００５１】
ステップＳ１３では、マイクロコンピュータ１０は、設定カード３０１から読み込んだ乗務員情報を登録情報として不揮発性メモリ２１上に書き込む。従って、この処理により、１０人分の乗務員の乗務員コードと乗務員名とが登録情報として不揮発性メモリ２１上に保持される。
【００５２】
図１に示した車両運行記録装置１００を用いて車両の運行業務を開始する際のマイクロコンピュータ１０の処理の内容が図５に示されている。すなわち、乗務員が運転する車両に搭載されている車両運行記録装置１００に自分の所持している乗務員カード３０２を装着することにより、図５に示す処理が実行される。
【００５３】
ステップＳ２１では、マイクロコンピュータ１０は、記録媒体インタフェース２３のカードスロットに装着されているメモリカードが乗務員カード３０２であるか否かを識別する。各乗務員カード３０２上には、予め定めた乗務員カード識別コードが書き込まれているので、このコードの存在の有無によりメモリカードが乗務員カード３０２か否かを識別できる。装着されたカードが乗務員カード３０２であればステップＳ２３に進み、そうでなければステップＳ２２に進む。
【００５４】
ステップＳ２２では、マイクロコンピュータ１０は液晶表示器２９の表示画面に所定のメッセージを表示する。具体的には、図５に示す表示画面Ｍ０１のように、「乗務員カードではありません。乗務員カードを挿入して下さい。」のような内容が表示される。そしてステップＳ２１の処理に戻る。
【００５５】
ステップＳ２３では、マイクロコンピュータ１０は不揮発性メモリ２１上に前述の登録情報が存在するか否かを識別する。事前に図２に示したような手続きが行われ、登録情報が車両運行記録装置１００に書き込まれていればステップＳ２３からＳ２５に進み、まだ登録情報が書き込まれていなければステップＳ２４に進む。
【００５６】
ステップＳ２４では、マイクロコンピュータ１０は液晶表示器２９の表示画面に所定のメッセージを表示する。具体的には、図５に示す表示画面Ｍ０２のように、「運転手未登録」のような内容が表示される。そしてステップＳ２３の処理に戻る。
【００５７】
ステップＳ２５では、マイクロコンピュータ１０は記録媒体インタフェース２３に装着されている乗務員カード３０２の内容、すなわち乗務員コードを読み込む。
【００５８】
ステップＳ２６では、マイクロコンピュータ１０はステップＳ２５で読み込んだ乗務員コードと不揮発性メモリ２１上の登録情報の各乗務員コードとを比較して、コードの合致する乗務員を検索する。
【００５９】
ステップＳ２７では、マイクロコンピュータ１０はステップＳ２６の処理でコードの合致する乗務員が見つかったか否かを識別する。見つかった場合はステップＳ２９に進み、見つからない場合はステップＳ２８に進む。
【００６０】
ステップＳ２８では、マイクロコンピュータ１０は液晶表示器２９の表示画面に所定のメッセージを表示する。具体的には、図５に示す表示画面Ｍ０３のように、「該当する乗務員コード無し」のような内容が表示される。そして、車両運行記録装置１００の動作は終了する。
【００６１】
ステップＳ２９では、マイクロコンピュータ１０はステップＳ２６の比較で合致した乗務員コードがあることを、メッセージとして液晶表示器２９の表示画面に表示する。具体的には、図５に示す表示画面Ｍ０４のように、「該当する乗務員コード有り」のような内容が表示される。尚、マイクロコンピュータ１０はステップＳ２６の比較で合致した特定の乗務員の情報を抽出し、その情報をメッセージとして液晶表示器２９の表示画面に表示するようにしてもよい。
【００６２】
ステップＳ３０では、マイクロコンピュータ１０は営業中の処理を行う。すなわち、時々刻々と変化する車速やエンジン回転数などの情報を一定の周期で繰り返し収集し、収集される様々な運行状況の情報を運行記録のデジタルデータとして不揮発性メモリ２１に保持する。
【００６３】
ステップＳ３１では、マイクロコンピュータ１０は、記録媒体インタフェース２３に装着されている乗務員カード３０２が取り外されたかどうかを識別する。そして、マイクロコンピュータ１０は、営業走行が終了して運転者がこの乗務員カード３０２を取り外すと、ステップＳ３０における不揮発性メモリ２１への運行記録の記録動作を終了し、一連の車両運行記録装置１００の動作を終了する。
【００６４】
車両運行記録装置１００は、図５を参照して説明した処理を、記録媒体インタフェース２３のカードスロットに乗務員カード３０２が装着される度に実行することにより、不揮発性メモリ２１へ運行記録のデジタルデータが逐次、記録される。換言すれば、カードスロットに乗務員カード３０２を装着した延べ人数分の運行記録のデジタルデータが不揮発性メモリ２１に記録されていることになる。ここで、図６に示す、図１に示す車両運行記録装置を用いて車両の運行業務を記録する際の車両運行記録装置のデータ記録動作を説明する模式図を参照して、車両運行記録装置のデータ記録動作を説明する。
【００６５】
ステップＳ３０では、収集される様々な運行状況の情報を運行記録のデジタルデータ（以下、運行記録データと称する）として記録するにあたって、ステップＳ２５にて乗務員カード３０２から読み取っていた乗務員コードに対応させて記録する。つまり、図６に示すように、ヘッダとしての乗務員コードと、メインデータとしての運行記録データとから構成される一つのフレームを作成し、不揮発性メモリ２１に記録する。その一つのフレームは一度の乗務員カードの挿抜から得られるものであり、乗務員カードの挿入、車両の運行、及び乗務員カードの抜出が繰り返されることにより、複数個のフレームが得られる。新たに作成されたフレームＦｎは、それ以前に作成されたフレームのうちの最も後に作成されたフレームＦ（ｎ−１）におけるデータの終端から書き込まれる。これにより、フレームＦ１、フレームＦ２、・・・フレームｎは、時系列に沿って不揮発性メモリ２１に記録される。
【００６６】
このようにして運行データが記録された後、車両運行記録装置１００の不揮発性メモリ２１から運行データを取り出すためのＣＦカードを車両運行記録装置１００の記録媒体インタフェース２３に装着し所定の操作を行うことにより、不揮発性メモリ２１に記録されている運行データをＣＦカードに書き込み、データを車両運行記録装置１００からＣＦカードへ転送する。尚、ここでは、ＣＦカードに運行データを書き込む構成であったが、乗務員カード３０２が、車両の運行業務の間に車両運行記録装置１００によって自動的に収集される様々な運行状況のデジタルデータを記録するための大容量の記憶領域を有している場合は、乗務員カード３０２に運行データを書き込む構成としてもよい。
【００６７】
以上、本発明の運行記録制御方法、車両運行記録装置及び運行記録プログラムによれば、車両の運行の度に運行データを記録媒体に書き込み構成ではなく、複数回の運行に亘って車両運行記録装置１００に蓄積された運行データを一度の操作によって車両運行記録装置１００から記録媒体に移す構成であるため、車両の運行業務が終了した時に、収集した情報を乗務員カードに記録するための作業を行う機会、及び事務所で乗務員カードに記録されているデータを読み取り、出力する機会を減らすことができる。
【００６８】
本発明の運行記録制御方法、車両運行記録装置及び運行記録プログラムは、乗務員カードが非接触ＩＣカードによって構成され、車両運行記録装置が非接触ＩＣリーダによって乗務員カードからデータを読み取る構成である場合に、特に有用である。従来、カードの挿抜をすることによって記録媒体への運行記録データの書き込みを忘れないよう乗務員に意識させていたが、その挿抜作業が不要となる上記の構成では、その意識が希薄になることが予想される。本発明では、運行記録データの車両運行記録装置の不揮発メモリ２１への書き込みは乗務員がその書き込みを意識する必要は無いし、さらには、ＣＦカードの転送はいつでも行えばよい処理である。このような意味で、本発明は、非接触ＩＣカードを乗務員カードとして利用した場合に、特に顕著な効果を奏する。
【符号の説明】
【００６９】
１０  マイクロコンピュータ
２１  不揮発性メモリ
２２  揮発性メモリ
２３  記録媒体インタフェース
２４  音声インタフェース
２５  時計回路
２６  メモリ（ＥＥＰＲＯＭ）
２７  スイッチ入力部
２８  ＬＣＤコントローラ
２９  液晶表示器
３１  速度／エンジン回転インタフェース
３２  速度／エンジン回転警報部
３３  外部入力インタフェース
３４  アナログ入力インタフェース
３５  外部出力インタフェース
３６  プリンタインタフェース
３７  ＧＰＳインタフェース
３８  ＣＡＮ通信インタフェース
３９  通信端末インタフェース
４０  電源部
１００  車両運行記録装置
２００  事務所内端末
２０１  コンピュータ本体
２０２  キーボード
２０３  ディスプレイ
２０４  カードリーダ／ライタ
３０１  設定カード
３０２  乗務員カード
【図１】
0005999587.tif 000002
【図２】
0005999587.tif 000003
【図３】
0005999587.tif 000004
【図４】
0005999587.tif 000005
【図５】
0005999587.tif 000006
【図６】
0005999587.tif 000007